(57)【要約】      （修正有）【課題】収納物を上から入れて上から取り出す、また必要に応じてそれを横からも取り出すことができ、かつ内容物の大きさに合うように仕切りが移動でき、特に野菜の長期保存に適した冷凍、電子レンジ保存ケースを提供する。【解決手段】冷凍、電子電磁に耐える材質からなる引き出し式収納ケースにおいて、収納物を上からも取り出せるようにし、収納ケースには仕切りを縦、横に移動できるようにレールおよび溝が設け、また、収納ケースの底には空気孔と足が付いた敷き板を置き、底面と敷き板との間に隙間を作り、不必要な水分はその孔を通って底に溜まるようになっている。【選択図】図１
2006347626.tif 000002
【特許請求の範囲】
冷凍、電子電磁に耐える材質で出来た、保存、収納ケースで本体に入れた内容物を上からと横からも取りやすくする為の引き出し式収納ケースになっており、又、それに内容物の大きさ、に応じて収納ができる様に仕切り板が縦、横に、ある程度自由に移動ができ、又、他の一方の仕切り板が自由前後に移動が出来るようにレールが設けられている。引き出しの枠には縦にある程度の幅を持って仕切りができ、仕切り板が立てるように溝をつけている、その溝に仕切り板を入れることによって仕切られる。又、前後に移動ができる仕切り板の背中には数本の溝が付けれている、ケースの底には敷板がありそれに足が付き底面と敷板との間に、隙間を作り、そこに水分が溜まるようになっている。又、それには、空気孔が付いていて水分がそこを通って下へ落ちるようになっている。敷板は自由に取り外しができる。外観には外気を出来るだけ多く遮断できるようにスットパーを付け又完全に保持できるように凸状の棒状の突起物を取り付けていて、ストッパーが確立に止まるように、外気が中へ入り難くいように工夫をしている
【発明の詳細な説明】
【技術分野】
【０００１】冷凍、電子電磁に耐える材質で出来た、保存、収納ケースで本体に入れた内容物を上からと横からも取りやすくする為の引き出し式収納ケースになっており、又、それに内容物の大きさ、に応じて収納ができる様に仕切り板が縦、横に、ある程度自由に移動ができ、又、他の一方の仕切り板が自由前後に移動が出来るようにレールが設けられている。引き出しの枠には縦にある程度の幅を持って仕切りができ、仕切り板が立てるように溝をつけている、その溝に仕切り板を入れることによって仕切られる。又、前後に移動ができる仕切り板の背中には数本の溝が付けれている、ケースの底には敷板がありそれに足が付き底面と敷板との間に、隙間を作り、そこに水分が溜まるようになっている。又、それには、空気孔が付いていて水分がそこを通って下へ落ちるようになっている。敷板は自由に取り外しができる。外観には外気を出来るだけ多く遮断できるようにスットパーを付け又完全に保持できるように凸状の捧状の突起物を取り付けていて、ストッパーが確立に止まるように、外気が中へ入り難くいように工夫をしている
［肯景技術］【０００２】現在多く使用されている冷凍、電子電磁の使用を兼ねて、食料品を保存できるケースは数種類があるが、それらは、内容物を上からいれて、上から取り出す方法であり、内容物の大きさに応じてある程度、仕切り板を移動させる物もあるが、多くは製造の過程ですでにある程度の大きさの升が固定されて作られている、縦、横、前後を自由に在る大きさの升に仕切る事が出来る物はない、内容物を上から入れて上から取り出す、また、必要に応じてそれを横から引き出すことができ，又、内容物の大きさに応じてそれに合うように仕切が自由思いのままにできれ大変便利である。その様な便利な物がないのが現状である。このような不便さを解消出来ればよいかと思い、思考、工夫をしたのが本発明あるでこれを使用する。事によって内容物を縦、横、から自由に出し入れが出来、大きさに応じた収納もできる、引き出し式ケースである。また、引き出しの底面には敷板がある、その板には空気孔が付いていてその孔を通って不必要な水分が下は落ちて貯まるので特に野菜の保存に適し他のものも長く保存ができ、敷板を取り外す事もできる。
［発明の開示］
［発明が解決をしようとする課題］【０００３】  冷凍、電子電磁に耐える材質で出来た、保存、収納ケースで本体に入れた内容物を上からと横からも取りやすくする為の引き出し式収納ケースになっており、又、それに内容物の大きさ、に応じて収納ができる様に仕切り板が縦、横に、ある程度自由に移動ができ、又、他の一方の仕切り板が自由前後に移動が出来るようにレールが設けられている。引き出しの枠には縦にある程度の幅を持って仕切りができ、仕切り板が立てるように溝をつけている、その溝に仕切り板を入れることによって仕切られる。又、前後に移動ができる仕切り板の背中には数本の溝が付けれている、ケースの底には敷板がありそれに足が付き底面と敷板との間に、隙間を作り、そこに水分が溜まるようになっている。又、それには、空気孔が付いていて水分がそこを通って下へ落ちるようになっている。敷板は自由に取り外しができる。外観には外気を出来るだけ多く遮断できるようにスットパーを付け又完全に保持できるように凸状の棒状の突起物を取り付けていて、ストッパーが確立に止まるように、外気が中へ入り難くいように工夫をしている。  現在多く使用されている冷凍、電子電磁の使用を兼ねて、食料品を保存できるケースは数種類があるが、それらは、内容物を上からいれて、上から取り出す方法であり、内容物の大きさに応じてある程度、仕切り板を移動させる物もあるが、多くは製造の過程ですでにある程度の大きさの升が固定されて作られている、縦、横、前後を自由に在る大きさの升に仕切る事が出来る物はない、内容物を上から入れて上から取り出す、また、必要に応じてそれを横から引き出すことができ，又、内容物の大きさに応じてそれに合うように仕切が自由思いのままにできれ大変便利である。その様な便利な物がないのが現状である。このような不便さを解消出来ればよいかと思い、思考、工夫をしたのが本発明あるでこれを使用する。事によって内容物を縦、横、から自由に出し入れが出来、大きさに応じた収納もできる、引き出し式ケースである。また、引き出しの底面には敷板がある、その板には空気孔が付いていてその孔を通って不必要な水分が下は落ちて貯まるので特に野菜の保存に適し他のものも長く保存ができ、敷板を取り外す事もできる。
［課題を解決するための手段］【０００４】  冷凍、電子電磁に耐える材質で出来た、保存、収納ケースで本体に入れた内容物を上からと横からも取りやすくする為の引き出し式収納ケースになっており、又、それに内容物の大きさ、に応じて収納ができる様に仕切り板が縦、横に、ある程度自由に移動ができ、又、他の一方の仕切り板が自由前後に移動が出来るようにレールが設けられている。引き出しの枠には縦にある程度の幅を持って仕切りができ、仕切り板が立てるように溝をつけている、その溝に仕切り板を入れることによって仕切られる。又、前後に移動ができる仕切り板の背中には数本の溝が付けれている、ケースの底には敷板がありそれに足が付き底面と敷板との間に、隙間を作り、そこに水分が溜まるようになっている。又、それには、空気孔が付いていて水分がそこを通って下へ落ちるようになっている。敷板は自由に取り外しができる。外観には外気を出来るだけ多く遮断できるようにスットパーを付け又完全に保持できるように凸状の棒状の突起物を取り付けていて、ストッパーが確立に止まるように、外気が中へ入り難くいように工夫をしている。  現在多く使用されている冷凍、電子電磁の使用を兼ねて、食料品を保存できるケースは数種類があるが、それらは、内容物を上からいれて、上から取り出す方法であり、内容物の大きさに応じてある程度、仕切り板を移動させる物もあるが、多くは製造の過程ですでにある程度の大きさの升が固定されて作られている、縦、横、前後を自由に在る大きさの升に仕切る事が出来る物はない、内容物を上から入れて上から取り出す、また、必要に応じてそれを横から引き出すことができ，又、内容物の大きさに応じてそれに合うように仕切が自由思いのままにできれ大変便利である。その様な便利な物がないのが現状である。このような不便さを解消出来ればよいかと思い、思考、工夫をしたのが本発明あるでこれを使用する。事によって内容物を縦、横、から自由に出し入れが出来、大きさに応じた収納もできる、引き出し式ケースである。また、引き出しの底面には敷板がある、その板には空気孔が付いていてその孔を通って不必要な水分が下は落ちて貯まるので特に野菜の保存に適し他のものも長く保存ができ、敷板を取り外す事もできる。
［発明の効果］【０００５】冷凍、電子電磁に耐える材質で出来た、保存、収納ケースで本体に入れた内容物を上からと横からも取りやすくする為の引き出し式収納ケースになっており、又、それに内容物の大きさ、に応じて収納ができる様に仕切り板が縦、横に、ある程度自由に移動ができ、又、他の一方の仕切り板が自由前後に移動が出来るようにレールが設けられている。引き出しの枠には縦にある程度の幅を持って仕切りができ、仕切り板が立てるように溝をつけている、その溝に仕切り板を入れることによって仕切られる。又、前後に移動ができる仕切り板の背中には数本の溝が付けれている、ヶースの底には敷板がありそれに足が付き底面と敷板との間に、隙間を作り、そこに水分が溜まるようになっている。又、それには、空気孔が付いていて水分がそこを通って下へ落ちるようになっている。敷板は自由に取り外しができる。外観には外気を出来るだけ多く遮断できるようにスットパーを付け又完全に保持できるように凸状の棒状の突起物を取り付けていて、ストッパーが確立に止まるように、外気が中へ入り難くいように工夫をしている。  現在多く使用されている冷凍、電子電磁の使用を兼ねて、食料品を保存できるケースは数種類があるが、それらは、内容物を上からいれて、上から取り出す方法であり、内容物の大きさに応じてある程度、仕切り板を移動させる物もあるが、多くは製造の過程ですでにある程度の大きさの升が固定されて作られている、縦、横、前後を自由に在る大きさの升に仕切る事が出来る物はない、内容物を上から入れて上から取り出す、また、必要に応じてそれを横から引き出すことができ，又、内容物の大きさに応じてそれに合うように仕切が自由思いのままにできれ大変便利である。その様な便利な物がないのが現状である。このような不便さを解消出来ればよいかと思い、思考、工夫をしたのが本発明あるでこれを使用する。事によって内容物を縦、横、から自由に出し入れが出来、大きさに応じた収納もできる、引き出し式ケースである。また、引き出しの底面には敷板がある、その板には空気孔が付いていてその孔を通って不必要な水分が下は落ちて貯まるので特に野菜の保存に適し他のものも長く保存ができ、敷板を取り外す事もできる。
［発明を実施するための最良の形態］【０００６】冷凍、電子電磁に耐える材質で出来た、保存、収納ケースで本体に入れた内容物を上からと横からも取りやすくする為の引き出し式収納ケースになっており、又、それに内容物の大きさ、に応じて収納ができる様に仕切り板が縦、横に、ある程度自由に移動ができ、又、他の一方の仕切り板が自由前後に移動が出来るようにレールが設けられている。引き出しの枠には縦にある程度の幅を持って仕切りができ、仕切り板が立てるように溝をつけている、その溝に仕切り板を入れることによって仕切られる。又、前後に移動ができる仕切り板の背中には数本の溝が付けれている、ヶースの底には敷板がありそれに足が付き底面と敷板との間に、隙間を作り、そこに水分が溜まるようになっている。又、それには、空気孔が付いていて水分がそこを通って下へ落ちるようになっている。敷板は自由に取り外しができる。外観には外気を出来るだけ多く遮断できるようにスットパーを付け又完全に保持できるように凸状の棒状の突起物を取り付けていて、ストッパーが確立に止まるように、外気が中へ入り難くいように工夫をしている。  現在多く使用されている冷凍、電子電磁の使用を兼ねて、食料品を保存できるケースは数種類があるが、それらは、内容物を上からいれて、上から取り出す方法であり、内容物の大きさに応じてある程度、仕切り板を移動させる物もあるが、多くは製造の過程ですでにある程度の大きさの升が固定されて作られている、縦、横、前後を自由に在る大きさの升に仕切る事が出来る物はない、内容物を上から入れて上から取り出す、また、必要に応じてそれを横から引き出すことができ，又、内容物の大きさに応じてそれに合うように仕切が自由思いのままにできれ大変便利である。その様な便利な物がないのが現状である。このような不便さを解消出来ればよいかと思い、思考、工夫をしたのが本発明あるでこれを使用する。事によって内容物を縦、横、から自由に出し入れが出来、大きさに応じた収納もできる、引き出し式ケースである。また、引き出しの底面には敷板がある、その板には空気孔が付いていてその孔を通って不必要な水分が下は落ちて貯まるので特に野菜の保存に適し他のものも長く保存ができ、敷板を取り外す事もできる。
【図面の簡単な説明】
【０００７】１  本発明の斜視図
２  本体に付随する各部分の斜視図
３  引き出しに付随する各部分の斜視図
【符号の説明】
【０００８】  １      冷凍。電子電磁に耐える材質使用のケース
２      引き出し式、レール付収納ケース
３      仕切り板の握り手
４      レールからの脱輪を防ぐ支持棒
５      仕切り板に脱輪防止支持棒付
６      タイトルを入れる窓口
７      ふたの開閉用の握り手
８      蓋の開閉用の前部分の握り手
９      蓋の深さの縁取り
１０      縦の仕切り板を入れる溝
１１      引き出しの握り手
１２      引き出しを密封をする握り手
１３      本体に付いている引き出しの密封の握り手を固定する凸型レール
１４      敷板の空気孔
１５      敷板の足
１６      敷板
１７      仕切板が移動する為のレール
１８      縦の溝に入れる仕切り板
１９      レール上の仕切板に付いている数本の溝
【図１】
2006347626.tif 000003
【図２】
2006347626.tif 000004
【図３】
2006347626.tif 000005